(57)【要約】【課題】スコア線に沿ったパネルの破断が良好に行われるようにする。【解決手段】第１スコア線４３０の一端部４３１と他端部４３２において、第１スコア線４３０は、第１スコア線４３０により囲まれた領域内に向かうように内向きにカールしており、第１スコア線４３０は、その終端に向かうに従い、タブの中心線ＣＬに接近する。付言すると、第１スコア線４３０の一端部４３１には、第１スコア線４３０を他端部４３２側に近づける曲率が付与され、また、第１スコア線４３０の他端部４３２にも、第１スコア線４３０を一端部４３１側に近づける曲率が付与されている。【選択図】図３
2015000734.tif 000002
【特許請求の範囲】
【請求項１】
缶胴に取り付けられるパネルと、
前記パネルに形成され、Ｕ字状に形成され、一端部および他端部を有し、当該パネルの破断を促す第１のスコア線と、
前記パネルに形成され、前記第１のスコア線に接続されるとともに、当該第１のスコア線との接続部から、当該第１のスコア線により囲まれた領域内に向かうように形成され、当該パネルの破断を促す第２のスコア線と、
前記パネルのうち、Ｕ字状に形成された前記第１のスコア線の内側に位置する部分を押圧し、前記第２のスコア線および当該第１のスコア線に沿った当該パネルの破断を生じさせるタブと、
を備え、
前記第１のスコア線の前記一端部には、当該第１のスコア線を当該第１のスコア線の前記他端部側に近づける曲率が付与され、当該第１のスコア線の当該他端部には、当該第１のスコア線を当該一端部側に近づける曲率が付与されていることを特徴とする缶蓋。
【請求項２】
前記第１のスコア線は、前記タブの中心線であって当該タブの長手方向に沿った中心線を対称軸として、線対象となる形状で形成されていることを特徴とする請求項１に記載の缶蓋。
【請求項３】
前記第１のスコア線の前記一端部のうちの前記曲率が付与されている部分、および、当該第１のスコア線の前記他端部のうちの前記曲率が付与されている部分は、前記タブが取り付けられた側から前記パネルを眺めた場合に、当該タブの背後に位置していることを特徴とする請求項１に記載の缶蓋。
【請求項４】
缶胴に取り付けられるパネルと、
前記パネルに形成され、Ｕ字状に形成され、一端部および他端部を有し、当該パネルの破断を促すスコア線と、
前記パネルのうち、Ｕ字状に形成された前記スコア線の内側に位置する部分を押圧し、当該スコア線に沿った当該パネルの破断を生じさせるタブと、
を備え、
前記スコア線の前記一端部および前記他端部の少なくとも一方の端部には、当該スコア線を他方の端部側に近づける曲率が付与されていることを特徴とする缶蓋。
【請求項５】
前記スコア線の前記他方の端部にも、当該スコア線を前記一方の端部側に近づける曲率が付与されていることを特徴とする請求項４に記載の缶蓋。
【請求項６】
前記スコア線に接続され、当該スコア線との接続部から、当該スコア線により囲まれた領域内に向かうように形成された第２のスコア線を更に備えることを特徴とする請求項４に記載の缶蓋。
【請求項７】
飲料が収容された缶胴と、当該缶胴に取り付けられた缶蓋と、を備える飲料缶であって、
前記缶蓋は、
前記缶胴に取り付けられるパネルと、
前記パネルに形成され、Ｕ字状に形成され、一端部および他端部を有し、当該パネルの破断を促すスコア線と、
前記パネルのうち、Ｕ字状に形成された前記スコア線の内側に位置する部分を押圧し、当該スコア線に沿った当該パネルの破断を生じさせるタブと、
を備え、
前記スコア線の前記一端部および前記他端部の少なくとも一方の端部には、当該スコア線を他方の端部側に近づける曲率が付与されていることを特徴とする飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
一般に、飲料缶に用いられる缶蓋では、パネルの表面にスコア線が形成されており、缶蓋に開口が形成される際、スコア線に沿ってパネルの破断が進行する。ところで、スコア線の形状などによっては、パネルの破断が進行しにくくなることがあり、この場合、開口を形成する際にユーザが行う操作の作業性が悪化するおそれがある。
本発明の目的は、スコア線に沿ったパネルの破断が良好に行われるようにすることにある。
【課題を解決するための手段】
【０００５】
本発明が適用される缶蓋は、缶胴に取り付けられるパネルと、前記パネルに形成され、Ｕ字状に形成され、一端部および他端部を有し、当該パネルの破断を促す第１のスコア線と、前記パネルに形成され、前記第１のスコア線に接続されるとともに、当該第１のスコア線との接続部から、当該第１のスコア線により囲まれた領域内に向かうように形成され、当該パネルの破断を促す第２のスコア線と、前記パネルのうち、Ｕ字状に形成された前記第１のスコア線の内側に位置する部分を押圧し、前記第２のスコア線および当該第１のスコア線に沿った当該パネルの破断を生じさせるタブと、を備え、前記第１のスコア線の前記一端部には、当該第１のスコア線を当該第１のスコア線の前記他端部側に近づける曲率が付与され、当該第１のスコア線の当該他端部には、当該第１のスコア線を当該一端部側に近づける曲率が付与されていることを特徴とする缶蓋である。
ここで、前記第１のスコア線は、前記タブの中心線であって当該タブの長手方向に沿った中心線を対称軸として、線対象となる形状で形成されていることを特徴とすることができる。
また、前記第１のスコア線の前記一端部のうちの前記曲率が付与されている部分、および、当該第１のスコア線の前記他端部のうちの前記曲率が付与されている部分は、前記タブが取り付けられた側から前記パネルを眺めた場合に、当該タブの背後に位置していることを特徴とすることができる。この場合、曲率が付与されている部分がタブの背後に位置しておらずこの部分が露出している場合に比べ、缶蓋の外観を向上させることができる。
【０００６】
他の観点から捉えると、本発明が適用される缶蓋は、缶胴に取り付けられるパネルと、前記パネルに形成され、Ｕ字状に形成され、一端部および他端部を有し、当該パネルの破断を促すスコア線と、前記パネルのうち、Ｕ字状に形成された前記スコア線の内側に位置する部分を押圧し、当該スコア線に沿った当該パネルの破断を生じさせるタブと、を備え、前記スコア線の前記一端部および前記他端部の少なくとも一方の端部には、当該スコア線を他方の端部側に近づける曲率が付与されていることを特徴とする缶蓋である。
ここで、前記スコア線の前記他方の端部にも、当該スコア線を前記一方の端部側に近づける曲率が付与されていることを特徴とすることができる。この場合、一方の端部にのみ曲率が付与されている場合に比べ、スコア線に沿ったパネルの破断がより良好に行われるようになる。
また、前記スコア線に接続され、当該スコア線との接続部から、当該スコア線により囲まれた領域内に向かうように形成された第２のスコア線を更に備えることを特徴とすることができる。この場合、パネルのうちのスコア線に囲まれた領域内にてパネルの破断を生じさせることができるようになる。
【０００７】
また、本発明を飲料缶として捉えた場合、本発明が適用される飲料缶は、飲料が収容された缶胴と、当該缶胴に取り付けられた缶蓋と、を備える飲料缶であって、前記缶蓋は、前記缶胴に取り付けられるパネルと、前記パネルに形成され、Ｕ字状に形成され、一端部および他端部を有し、当該パネルの破断を促すスコア線と、前記パネルのうち、Ｕ字状に形成された前記スコア線の内側に位置する部分を押圧し、当該スコア線に沿った当該パネルの破断を生じさせるタブと、を備え、前記スコア線の前記一端部および前記他端部の少なくとも一方の端部には、当該スコア線を他方の端部側に近づける曲率が付与されていることを特徴とする飲料缶である。
【発明の効果】
【０００８】
本発明によれば、スコア線に沿ったパネルの破断が良好に行われるようになる。
【図面の簡単な説明】
【０００９】
【図１】本実施の形態が適用される飲料缶の上面図である。
【図２】（Ａ）〜（Ｄ）は、タブを説明するための図である。
【図３】タブが取り付けられる前の缶蓋の正面図である。
【図４】（Ａ）〜（Ｆ）は、タブが操作された際の缶蓋の状態を示した図である。
【図５】パネルの破断を説明するための図である。
【図６】缶蓋の他の構成例を示した図である。
【図７】缶蓋の比較例を示した図である。
【図８】缶蓋の変形例を示した図である。
【図９】缶蓋の比較例を示した図である。
【発明を実施するための形態】
【００１０】
以下、添付図面を参照して、本発明の実施の形態について詳細に説明する。
図１は、本実施の形態が適用される飲料缶１００の上面図である。この飲料缶１００は、同図に示すように、上部に開口を有するとともに下部に底部を有し且つ筒状に形成された容器本体（缶胴）２００と、容器本体２００の開口に取り付けられこの開口を塞ぐ缶蓋３００とを有している。なお、飲料缶１００の内部には、清涼飲料、炭酸飲料、アルコール飲料などの飲料が収容されている。
【００１１】
缶蓋３００は、基板として機能し容器本体２００に取り付けられる円盤状のパネル４００を有している。また、缶蓋３００には、ユーザにより操作されるタブ５００が取り付けられている。タブ５００は、ユーザによって一方の端部（図中、上端部）が操作されることで（持ち上げられることで）、パネル４００のうちの予め定められた箇所（詳細は後述）に対して他方の端部（先端部）を押し付け、パネル４００を押圧する。なお、本明細書では、タブ５００の図中上端部を被操作部５０５と称し、タブ５００の図中下端部を先端部５１０と称する。
【００１２】
タブ５００は、パネル４００の中央部からずれた位置に設けられたリベット９００によってパネル４００に固定されている。付言すると、タブ５００は、パネル４００に対して偏心した状態で設けられたリベット９００によってパネル４００に固定されている。さらに、タブ５００は、被操作部５０５と先端部５１０との間に位置する部位がリベット９００によってパネル４００に固定されている。
【００１３】
なお、本実施形態では、タブ５００が、パネル４００の中央部からずれた位置に設けられたリベット９００によってパネル４００に固定されている場合を一例に説明するが、タブ５００は、パネル４００の中央部に設けられたリベット９００によってパネル４００に固定することもできる。また、本実施形態では、先端部５１０が円弧状に形成されたタブ５００を例示するが、タブ５００は、矩形状に形成することもでき、この場合は、タブ５００の先端部５１０が直線状となる。
【００１４】
図２の（Ａ）〜（Ｄ）（タブ５００を説明するための図）を参照し、タブ５００についてさらに説明する。
なお、同図（Ａ）はタブ５００の正面図であり、同図（Ｂ）は同図（Ａ）の矢印ＩＩＢ方向からタブ５００を眺めた場合の図である。また、同図（Ｃ）はタブ５００の裏面を示した図である。また、同図（Ｄ）は、同図（Ａ）の矢印ＩＩＤ方向からタブ５００を眺めた場合の図である。
【００１５】
タブ５００は、同図（Ａ）に示すように、板状に形成され且つ略矩形状に形成されたタブ本体部５２０を有している。なお、本実施形態では、同図（Ｄ）に示すように、このタブ本体部５２０の外周縁に対して曲げ加工（カール加工）が施され、タブ本体部５２０の外周縁が内側にカールした状態となっている。付言すると、タブ本体部５２０に四方に設けられている縁部には、カール部が形成されている。
【００１６】
これにより、本実施形態では、タブ５００の曲げ剛性が高められている。さらに、タブ５００には、同図（Ａ）に示すように、先端部５１０が設けられている側とは反対側（被操作部５０５側）に、ユーザの指が引っ掛けられる貫通孔（フィンガーホール）５３０が形成されている。また、タブ５００には、先端部５１０側に、パネル４００に設けられた突出部４２０（後述）が挿入される挿入孔５４０が形成されている。さらに、挿入孔５４０の周囲には、Ｕ字状に形成され且つタブ本体部５２０を貫通する貫通部５６０が設けられている。
【００１７】
さらに、タブ本体部５２０の四方に設けられた４つのカール部のうち、タブ５００の長手方向に沿って設けられたカール部には、第１スリット５２１が形成されている。また４つのカール部のうち、タブ５００の長手方向に沿って設けられたもう一つのカール部には、第２スリット５２２が形成されている。さらに、タブ本体部５２０のうち、第１スリット５２１と第２スリット５２２との間に位置する部位には、タブ５００の短手方向に沿う溝５２３が形成されている。
【００１８】
ここで、第１スリット５２１、第２スリット５２２、溝５２３は、同一の直線上に設けられている。また、第１スリット５２１、第２スリット５２２、溝５２３は、タブ５００の幅方向に沿って設けられている。また、第１スリット５２１、第２スリット５２２、溝５２３は、挿入孔５４０と貫通孔５３０との間に配置されている。ここで、本実施形態では、このように第１スリット５２１、第２スリット５２２、溝５２３が形成されており、これらが形成された部分の剛性（曲げ剛性）が低下している。
【００１９】
このため、図２（Ｂ）に示すように、タブ５００の被操作部５０５側に荷重を加えるとタブ５００が折れ曲がるようになる。なお、本実施形態では、第１スリット５２１と第２スリット５２２との間に溝５２３を形成してこの部分の剛性を低下させたが、このような溝に限らず、例えば曲げ加工を施すことで剛性を低下させることができる。また、溝５２３は必ずしも必要ではなく、溝５２３は省略することもできる。なお、図２（Ｂ）にて示す矢印の方向と逆の方向に作用する荷重を被操作部５０５に加えた場合には（図中、左方向に作用する荷重を被操作部５０５に加えた場合には）、第１スリット５２１等により２つに分割された面（タブ５００のうち第１スリット５２１等の両脇に位置する部分）が互いに対峙し、タブ５００の折れ曲がりが防止される。
【００２０】
図３は、タブ５００が取り付けられる前の缶蓋３００の正面図である。
本実施形態の缶蓋３００は、円盤状に形成されたパネル４００を備えている。このパネル４００は、曲げ加工が施された外周縁４１０を有している。本実施形態では、この外周縁４１０と容器本体２００（図１参照）の上縁部（不図示）とが互いに接触した状態で、この外周縁４１０および上縁部に対し、いわゆる巻き締め加工が施される。これにより、缶蓋３００（パネル４００）が容器本体２００の上縁部に固定される。
【００２１】
さらに、缶蓋３００には、タブ５００がパネル４００に固定される際に押しつぶされ、上述したリベット９００（図１参照）となる突出部（ニップル）４２０が形成されている。この突出部４２０は、パネル４００の中心部ＣＰから外れた箇所に設けられている。また、パネル４００の表面には、Ｕ字状の第１スコア線４３０が形成されている。
【００２２】
第１スコア線４３０は、パネル４００の表面に形成された溝により構成されており、パネル４００の破断（後述）を誘導する役割を果たす。付言すると、第１スコア線４３０は、パネル４００の破断が予定されている破断予定線として捉えることができる。さらに説明すると、第１スコア線４３０は、タブ５００がパネル４００を押圧することにより発生するパネル４００の破断が、パネル４００の予め定められた箇所に生じるように、この破断を促す役割を有する。
【００２３】
ここで、第１スコア線４３０は、パネル４００の中心部側からパネル４００の外周縁４１０側に向かって膨らむように形成され、パネル４００を正面から眺めた場合の形状がＵ字状となっている。さらに、第１スコア線４３０は、パネル４００の中心部ＣＰ側に一端部４３１および他端部４３２を有し、パネル４００の外周縁４１０側に頂部４３３Ａを有している。なお、本実施形態では、パネル４００のうちのタブ５００により押圧される領域ＲＡが、第１スコア線４３０により囲まれた領域内に位置する。
【００２４】
第１スコア線４３０の一端部４３１は、タブ５００の中心線ＣＬ（タブ５００の長手方向に沿った中心線）（図１も参照）を挟んで相対する二つの領域のうちの一方の領域（図中、左側の領域）側に配置されている。一方、他端部４３２は、中心線ＣＬを挟んで相対する二つの領域のうちの他方の領域（図中、右側の領域）側に配置されている。また、本実施形態では、タブ５００の中心線ＣＬを対称軸として線対称となるように、第１スコア線４３０が形成されている。
【００２５】
さらに、一端部４３１および他端部４３２が、互いに離れた状態で設けられることによって、パネル４００のうち、一端部４３１と他端部４３２との間には、第１スコア線４３０が形成されていない不連続部が設けられている。この不連続部が設けられることによって、後述する舌片部がパネル４００から離脱せず、舌片部がパネル４００に取り付いたままの状態となる。なお、本実施形態では、タブ５００の中心線ＣＬは、図３に示すように、パネル４００の中心部ＣＰと、パネル４００に形成された突出部４２０とを通過する。
【００２６】
また、本実施形態では、上記中心線ＣＬと直交する仮想線であって突出部４２０（リベット９００）を通る第１仮想線ＫＬ１を想定した場合に、上記一端部４３１および他端部４３２は、この第１仮想線ＫＬ１よりもパネル４００の中心部ＣＰ側に位置する。
また、本実施形態では、図３に示すように、中心線ＣＬと直交する仮想線であってパネル４００の中心部ＣＰを通る第２仮想線ＫＬ２を挟んで相対する２つの領域のうちの一方の領域内に頂部４３３Ａが位置し、他方の領域内に一端部４３１および他端部４３２が位置する。
【００２７】
さらに、リベット９００となる突出部４２０は、パネル４００のうちの第１スコア線４３０により囲まれている部位であって、第１スコア線４３０の一端部４３１および他端部４３２よりも頂部４３３Ａ側に位置する部位に設けられている。また、第１スコア線４３０は、図３に示すように湾曲部４３３を有している。この湾曲部４３３は、一端部４３１と他端部４３２とを結ぶとともに突出部４２０が設けられている側に膨らみ且つ突出部４２０よりもパネル４００の外周縁４１０側を通る。また、湾曲部４３３は、中心線ＣＬと交わる箇所に頂部４３３Ａを有する。
【００２８】
本実施形態では、ユーザによりタブ５００が操作されることで、第１スコア線４３０により囲まれた領域がタブ５００により押圧され、第１スコア線４３０が形成されている箇所にてパネル４００が破断する（詳細は後述）。これにより、第１スコア線４３０が形成されている領域が舌片状となり、且つ、この領域が飲料缶１００の内部に向かって折れ曲がる。これにより、飲料缶１００に、飲み口としての役割を果たす開口が形成される。
なお、本明細書では、以下、第１スコア線４３０にて生じる破断により形成される上記舌片状の部位を舌片部と称する場合がある。
【００２９】
さらに、本実施形態では、パネル４００の表面に、第２スコア線４５０が形成されている。この第２スコア線４５０も、パネル４００の表面に形成された溝により構成されており、パネル４００の破断を誘導する役割を果たす。第２スコア線４５０は、第１仮想線ＫＬ１を挟み相対する２つの領域のうちの、頂部４３３Ａ（第１スコア線４３０の頂部４３３Ａ）が設けられている領域内に設けられている。
【００３０】
また、第２スコア線４５０は、一端部４５１および他端部４５２を有している。ここで第２スコア線４５０の他端部４５２は、第１スコア線４３０の湾曲部４３３に接続されている。このため、本実施形態では、第１スコア線４３０と第２スコア線４５０とが接続する箇所にて、スコア線が分岐する。
【００３１】
第２スコア線４５０の他端部４５２は、第１スコア線４３０の湾曲部４３３のうちの中心線ＣＬと第１仮想線ＫＬ１との間に位置する部位に対して接続されている。さらに説明すると、第２スコア線４５０の他端部４５２は、第１スコア線４３０のうちの頂部４３３Ａと他端部４３２との間に位置する部位に接続されている。また、第２スコア線４５０の他端部４５２は、第１スコア線４３０のうち、頂部４３３Ａが設けられている箇所以外の箇所に接続されている。
【００３２】
さらに説明すると、第１スコア線４３０と第２スコア線４５０との接続部は、中心線ＣＬと第１スコア線４３０とが交差する交差箇所ＫＰ以外の箇所に設けられている。また、本実施形態では、第２スコア線４５０は、第１スコア線４３０との接続部から、第１スコア線４３０により囲まれている領域内に向かうように設けられている。
【００３３】
また、本実施形態では、中心線ＣＬと直交する関係で配置された第１仮想線ＫＬ１よりも上記交差箇所ＫＰが設けられている側に、第１スコア線４３０と第２スコア線４５０との接続部が設けられている。また、本実施形態では、中心線ＣＬと直交する関係で配置された第１仮想線ＫＬ１よりも領域ＲＡが位置する側に、第１スコア線４３０と第２スコア線４５０との接続部が設けられている。
【００３４】
また、本実施形態では、第１スコア線４３０と第２スコア線４５０との接続部と、第１スコア線４３０の一端部４３１との距離の方が、接続部と第１スコア線４３０の他端部４３２との距離よりも大きくなっている。さらに説明すると、第１スコア線４３０のうちの一端部４３１と上記接続部との間に位置する部位の長さの方が、第１スコア線４３０のうちの他端部４３２と上記接続部との間に位置する部位の長さよりも大きくなっている。
【００３５】
なお、本実施形態では、パネル４００の中央部側から図中右下方向に向かうように第２スコア線４５０が形成されている場合を説明したが、第２スコア線４５０は、図中左下方向に向かうように形成してもよい。この場合、第２スコア線４５０は、第１スコア線４３０のうちの頂部４３３Ａと一端部４３１との間に位置する部位に接続される。
【００３６】
さらに、第２スコア線４５０の一端部４５１は、突出部４２０の近傍に設けられている。また、第２スコア線４５０の一端部４５１は、中心線ＣＬを挟んで相対する２つの領域のうちの一方の領域側に配置され、第２スコア線４５０の他端部４５２は、この２つの領域のうちの他方の領域側に配置されている。さらに、第２スコア線４５０は、他端部４５２から突出部４２０に向かう直線部４５３を有する。また、直線部４５３に接続されるとともに円柱状に形成された突出部４２０との間に距離を有して配置され且つ突出部４２０の外周縁に沿うように形成された湾曲部４５４を有する。
【００３７】
第２スコア線４５０の湾曲部４５４は、突出部４２０と第１スコア線４３０との間に形成されている。詳細には、第１スコア線４３０の頂部４３３Ａと突出部４２０との間に形成されている。付言すると、中心線ＣＬ上において、突出部４２０と第１スコア線４３０との間に、第２スコア線４５０の湾曲部４５４が配置されている。
【００３８】
また、湾曲部４５４は、パネル４００のうちのタブ５００により押圧される領域ＲＡと突出部４２０との間を通過するように設けられている。付言すると、本実施形態では、上記領域ＲＡよりも突出部４２０（リベット９００）が設けられている側を通るように、第２スコア線４５０が設けられるとともに、この第２スコア線４５０は、領域ＲＡと突出部４２０との間を通過するように設けられている。
【００３９】
また、第２スコア線４５０の湾曲部４５４は、中心線ＣＬと交差するように設けられている。さらに説明すると、本実施形態における第２スコア線４５０は、領域ＲＡと突出部４２０との間を通過した後、中心線ＣＬと交差する方向に沿って進行し、第１スコア線４３０に接続される。さらに説明すると、中心線ＣＬと交差する方向に沿って且つ第１スコア線４３０に向かって進行する第２スコア線４５０は、領域ＲＡの脇を通過する。また、第２スコア線４５０は、領域ＲＡと突出部４２０との間を通過した後、第１仮想線ＫＬ１から次第に離れるように進行し、第１スコア線４３０に接続される。
【００４０】
ここで、図４（Ａ）〜（Ｆ）（タブ５００が操作された際の缶蓋３００の状態を示した図）を参照し、缶蓋３００についてさらに説明する。なお、図４（Ａ）〜（Ｆ）の各々では、缶蓋３００を正面から眺めた場合の缶蓋３００の状態、および、缶蓋３００を側方から眺めた場合の缶蓋３００の状態の二つの状態を図示している。
【００４１】
本実施形態では、タブ５００の被操作部５０５（後端部）（図１参照）がユーザにより持ち上げられると、タブ５００の先端部５１０が、第２スコア線４５０の湾曲部４５４と第１スコア線４３０の頂部４３３Ａとの間に位置する領域ＲＡ（図３参照）を押圧する。そして、領域ＲＡがタブ５００により押圧されると、まず、この領域ＲＡとリベット９００（突出部４２０）との間を通過するように設けられた第２スコア線４５０の湾曲部４５４にて、パネル４００が破断する（図４（Ｂ）参照）。
【００４２】
その後、第２スコア線４５０に沿ってパネル４００の破断が進行し、図４（Ｃ）に示すように、第１スコア線４３０と第２スコア線４５０との接続部まで、パネル４００が破断する。その後、本実施形態では、図４（Ｄ）に示すように、接続部から第１スコア線４３０の一端部４３１に向かうパネル４００の破断、および、接続部から第１スコア線４３０の他端部４３２に向かうパネル４００の破断が進行する。
【００４３】
その後、本実施形態では、ユーザによって、飲料缶１００の内部方向に向けてタブ５００が押し込まれる。これにより、図４（Ｅ）に示すように、第１スコア線４３０の一端部４３１および他端部４３２までパネル４００の破断がさらに進行する。これにより、第１スコア線４３０により囲まれていた領域が舌片部となる。また、舌片部の根元（第１スコア線４３０の一端部４３１と他端部４３２との間に位置する箇所）にて、舌片部は折り曲げられ、舌片部は飲料缶１００の内部に進入する。
【００４４】
これにより、飲料缶１００には飲み口として機能する開口が形成される。その後、ユーザにより、タブ５００の被操作部５０５側の操作が行われ、図４（Ｆ）に示すように、タブ５００が折れ曲がる。これにより、タブ５００の被操作部５０５側が缶蓋３００のパネル４００に沿うようになる。この場合、被操作部５０５側の突出がなくなり、飲用時の煩わしさが軽減する。
【００４５】
ここで、本実施形態では、このようにタブ５００が折れ曲がることで、タブ５００の先端部５１０が飲料缶１００の内部に入り込んだ状態が維持される。付言すると、起こしたタブ５００をパネル４００に沿うように寝かしたとしても、タブ５００の先端部５１０が飲料缶１００の内部に入り込んだ状態が維持される。これにより、形成された開口がタブ５００の先端部５１０により塞がれることが抑制され、開口がより大きなものとなる。なお、本実施形態では、折れ曲がるタブ５００を一例に説明したが、折れ曲がりが生じないタブ５００を用いることも当然可能である。なお、この場合、タブ５００の被操作部５０５の突出量を少なくする対策をすることが望ましい。
【００４６】
ここで、第１スコア線４３０および第２スコア線４５０にて生じるパネル４００の破断について、図５（パネル４００の破断を説明するための図）を参照し更に説明する。
本実施形態では、上記のとおり、タブ５００の被操作部５０５がユーザにより持ちあげられると、第２スコア線４５０の湾曲部４５４と第１スコア線４３０の頂部４３３Ａとの間に位置する領域ＲＡ（図３参照）がタブ５００により押圧される。これにより、まず、第２スコア線４５０の湾曲部４５４（図５参照）にてパネル４００が破断する。
【００４７】
その後、第２スコア線４５０に沿ってパネル４００の破断が進行し、第１スコア線４３０と第２スコア線４５０との接続部まで、パネル４００が破断する。その後、第１スコア線４３０にてパネル４００が破断する。具体的には、第１スコア線４３０のうち、符号４Ｃで示す領域にて、パネル４００の破断が生じるようになる。
【００４８】
詳細に説明すると、本実施形態では、領域ＲＡにタブ５００が押し付けられ、領域ＲＡが飲料缶１００の内部方向に押圧されるが、このとき、タブ５００によって、飲料缶１００の外側方向に（図５における紙面の手前側方向に）、突出部４２０が引っ張られる。これにより、飲料缶１００の外側方向に、図５にて符号４Ｂで示す部位が引っ張られる。この結果、符号４Ｃで示す領域に対しせん断力が作用し、この符号４Ｃで示す領域にて、パネル４００が破断する。付言すると、第１スコア線４３０のうち、接続部よりも他端部４３２側に位置する部位にて、パネル４００が破断する。
【００４９】
また、本実施形態では、領域ＲＡに対するタブ５００の押し付けが継続され、この押し付けによって、パネル４００のうちの符号４Ａで示す部位が、飲料缶１００の内部方向に向けて押圧される。これにより、符号４Ｄで示す領域に対しせん断力が作用し、この符号４Ｄで示す領域にて、パネル４００が破断する。付言すると、第１スコア線４３０のうち、接続部よりも一端部４３１側に位置する部位にて、パネル４００が破断する。
【００５０】
その後、本実施形態では、ユーザにより、飲料缶１００の内部方向に向けてタブ５００が押し込まれ、これにより、第１スコア線４３０にてパネル４００の破断がさらに生じる。具体的には、図中符号４Ｅで示す領域、および、図中符号４Ｆで示す領域の二つの領域にて、パネル４００が破断する。さらに、本実施形態では、舌片部の根元（第１スコア線４３０の一端部４３１と他端部４３２との間に位置する箇所）にて舌片部が折れ曲がる。これにより、舌片部が飲料缶１００の内部に進入し、飲料缶１００に開口が形成される。
【００５１】
なお、本実施形態では、第１スコア線４３０にてパネル４００の破断が生じる際、まず、接続部よりも他端部４３２側（符号４Ｃで示す領域）にてパネル４００の破断が生じ、次いで、接続部よりも一端部４３１側（符号４Ｄで示す領域）にてパネル４００の破断が生じる。これにより、本実施形態では、ユーザがタブ５００を操作する際の操作荷重が小さくなる。
【００５２】
ここで、例えば、接続部よりも一端部４３１側および接続部よりも他端部４３２側の両側にて同時に、パネル４００の破断が生じる場合、二箇所にて同時にパネル４００の破断が生じるようになる。かかる場合、タブ５００に対し、二箇所の破断に要する操作荷重を加える必要が生じ、タブ５００の操作荷重が大きくなる。
一方で、本実施形態では、接続部よりも他端部４３２側にてパネル４００の破断がまず生じ、次いで、接続部よりも一端部４３１側にてパネル４００の破断が生じる。この場合、タブ５００に対し、一箇所の破断に要する操作荷重を加えるだけですみ、二箇所で同時にパネル４００が破断する場合に比べ、タブ５００の操作荷重が小さくなる。
【００５３】
なお、上記では、接続部よりも他端部４３２側にてパネル４００の破断がまず生じ、次いで、接続部よりも一端部４３１側にてパネル４００の破断が生じる場合を一例に説明した。ところで、この破断の態様は一例であり、パネル４００の肉厚、第１スコア線４３０の形状、第２スコア線４５０の形状、タブ５００の形状などによっては、接続部よりも一端部４３１側にてパネル４００の破断がまず生じ、次いで、接続部よりも他端部４３２側にてパネル４００の破断が生じる。
【００５４】
さらに、説明すると、本実施形態では、中心線ＣＬ上から外れた箇所に、上記接続部を設けることで、タブ５００の操作荷重を小さくしている。ここで、例えば、上記接続部が中心線ＣＬ上に位置している場合、接続部から一端部４３１に向かってのパネル４００の破断、および、接続部から他端部４３２に向かってのパネル４００の破断が同じタイミングで発生しやすくなる。かかる場合、二箇所で且つ同時にパネル４００の破断が発生する状態となり、一箇所でパネル４００の破断が発生する場合に比べ、タブ５００の操作荷重が大きくなる。
【００５５】
なお、上記では説明を省略したが、本実施形態では、図３に示すように、第１スコア線４３０の一端部４３１と他端部４３２との間に位置する領域に（舌片部の根元となる部分に）、溝６００が設けられている。この溝６００は、一端部４３１が設けられている側から他端部４３２が設けられている側に向かうように形成されている。これにより、本実施形態では、舌片部の折れ曲がりが生じやすくなっている。なお、溝６００は必ずしも必要ではなく溝６００は省略することもできる。また、溝は直線状に限らず曲率を付与して形成してもよい。
【００５６】
また、本実施形態では、上記のとおり、領域ＲＡと突出部４２０との間を通過するように第２スコア線４５０が設けられている場合を例示したが、第２スコア線４５０の配置態様はこのような態様に限られない。例えば、図６（缶蓋３００の他の構成例を示した図）に示すように、領域ＲＡと突出部４２０との間を通過しない第２スコア線４５０を設けることもできる。さらに、第２スコア線４５０の形状も特に限定されず、第２スコア線４５０に曲率を付与するようにしてもよい。
【００５７】
ここで、図３を再び参照し、第１スコア線４３０の一端部４３１および他端部４３２について詳細に説明する。本実施形態では、図３に示すように、第１スコア線４３０の一端部４３１と他端部４３２において、第１スコア線４３０は、第１スコア線４３０により囲まれた領域内に向かうように内向きにカールしており、第１スコア線４３０は、その終端に向かうに従い、タブ５００の中心線ＣＬに接近する。
【００５８】
ここで、本実施形態では、上記のとおり、第１スコア線４３０の一端部４３１および他端部４３２に向かって、パネル４００の破断が生じるが、一端部４３１および他端部４３２の各々にて第１スコア線４３０がカールしていると、この一端部４３１および他端部４３２にて、第１スコア線４３０の進行方向が急減に変化する。そして、この場合、一端部４３１および他端部４３２にて、パネル４００の破断が停止するようになる。
【００５９】
ここで、例えば、図９（缶蓋３００の比較例を示した図）に示すように、一端部４３１および他端部４３２がカールしておらず、一端部４３１および他端部４３２が直線状に形成されていると、パネル４００の破断が、一端部４３１および他端部４３２を超えた箇所（第１スコア線４３０の延長線上に位置する箇所、破断を予定していない箇所）でも生じやすくなってしまう。
【００６０】
図７は、缶蓋３００の比較例を示した図である。
この比較例では、同図に示すように、第１スコア線４３０の一端部４３１と他端部４３２において、第１スコア線４３０は、第１スコア線４３０により囲まれた領域外に向かうように外向きにカールしており、第１スコア線４３０は、その終端に向かうに従い、タブ５００の中心線ＣＬから離れる。
【００６１】
ここで、この比較例でも、本実施形態と同様、一端部４３１および他端部４３２にて、第１スコア線４３０の進行方向が急減に変化し、これにより、一端部４３１および他端部４３２にて、パネル４００の破断が停止する。その一方で、この比較例では、領域ＲＡと第１スコア線４３０との離間距離が、第１スコア線４３０の終端に向かうに従い大きくなる。
【００６２】
かかる場合、領域ＲＡに作用したタブ５００からの荷重が、第１スコア線４３０の終端に近づくほど、第１スコア線４３０に作用しにくくなる。かかる場合、第１スコア線４３０の終端に近づくほど、第１スコア線４３０におけるパネル４００の破断が生じにくくなる。そして、この場合、形成される開口が小さくなるおそれがある。また、開口を大きくしようとした場合には、タブ５００の操作荷重が大きくなってしまう。
なお、この場合の開口の大小は、開口面積というより、むしろ、開口形成時に缶内方向に押し込まれる第１スコア線４３０の内側の部位である開口片（舌片部）の屈曲角度を示している。開口片の屈曲角度が小さい場合、開口片が位置する箇所を飲料が通過する際に飲料に作用する抵抗が大きくなるため、缶内の飲料が吐出しにくくなり、屈曲角度が大きい場合、この抵抗が小さくなり、吐出しやすくなる。
【００６３】
一方で、本実施形態では、上記にて説明したように、第１スコア線４３０は、内向きにカールしている。付言すると、本実施形態では、第１スコア線４３０の一端部４３１には、第１スコア線４３０を他端部４３２側に近づける曲率が付与され、また、第１スコア線４３０の他端部４３２にも、第１スコア線４３０を一端部４３１側に近づける曲率が付与されている。
【００６４】
かかる場合、領域ＲＡと第１スコア線４３０との離間距離が、第１スコア線４３０の終端に近づくに従い大きくなることが抑制される。付言すると、本実施形態の構成では、上記比較例に比して、第１スコア線４３０の一端部４３１および他端部４３２が、タブ５００の中心線ＣＬにより近い箇所に位置するようになる。
そして、この場合は、上記比較例に比べ、第１スコア線４３０の一端部４３１および他端部４３２に対し、タブ５００からの荷重が作用しやすくなり、上記比較例に比べ、より終端に近い箇所までパネル４００の破断が生じやすくなる。そして、この場合は、形成される開口がより大きなものとなる。
【００６５】
また、本実施形態では、比較例に比べ、一端部４３１および他端部４３２におけるパネル４００の破断が生じやすくなる結果、比較例に比べ、タブ５００の操作荷重が小さくなる。付言すると、比較例と本実施形態とで同じ大きさの開口を形成しようとした際、本実施形態の方が比較例よりも、タブ５００の操作荷重が小さくなる。
なお、本実施形態では、上記のように、一端部４３１および他端部４３２の両方に内向きのカールを付与した態様を説明したが、両方に付与せず一方にのみ付与するようにしてよい。
【００６６】
図８は、缶蓋３００の変形例を示した図である。
第１スコア線４３０の形状は上記にて説明した形状に限られず、次のような形状としてもよい。
例えば、図８（Ａ）に示すように、第１スコア線４３０の終端に向かう途中で第１スコア線４３０を曲げ、この曲げた部分よりも終端に位置する部分を、直線状に且つ中心線ＣＬに向かうように形成することができる。
付言すると、本例では一端部４３１において第１スコア線４３０には、他端部４３２側に第１スコア線４３０を近づける曲率が付与されているが、この曲率付与部分を終端とせず、中心線ＣＬに向かうように直線状をなすスコア線が付加されたようにさらに伸張し、その後、終端に至る。また、他端部４３２においても、第１スコア線４３０には、一端部４３１側に第１スコア線４３０を近づける曲率が付与されているが、この曲率付与部分を終端とせず、中心線ＣＬに向かうように直線状をなすスコア線が付加されたようにさらに伸張し、その後、終端に至る。なお、図示は省略するが、一方の終端および他方の終端の両終端に対して曲率を付与し、一方の終端および他方の終端が互いに近づくようにしてもよい。
次に、図８（Ｂ）に示す態様を説明すると、この図８（Ｂ）に示す態様では、同図に示すように、第１スコア線４３０の一端部４３１および他端部４３２に対し、例えば、内向きの且つ４分の１周分の円弧を付与している。
【００６７】
また、同図（Ｃ）に示す例では、第１スコア線４３０の一端部４３１側では、第１スコア線４３０の途中で第１スコア線４３０を曲げ、この曲げた部分よりも終端に位置する部分を、直線状に形成し且つ中心線ＣＬに向かわせている。一方で、第１スコア線４３０の他端部４３２側では、同図（Ｂ）と同様、内向きの且つ４分の１周分の円弧を付与している。なお、第１スコア線４３０の一端部４３１側では、中心線ＣＬに向かう直線状の部分を、中心線ＣＬを超える箇所まで伸ばしている。
【００６８】
また、同図（Ｄ）に示す例では、同図（Ｃ）にて示した態様と同様、第１スコア線４３０の一端部４３１側において、第１スコア線４３０の途中で第１スコア線４３０を曲げ、この曲げた部分よりも終端に位置する部分を、直線状に且つ中心線ＣＬに向かうように形成している。
【００６９】
さらに、この例では、直線状の部分の先端部がカールしており、この先端部では、第１スコア線４３０の終端に向かうに従い、第１スコア線４３０は、領域ＲＡに接近する。また、第１スコア線４３０の他端部４３２側では、内向きの且つ約２分の１周分の円弧を付与している。また、他端部４３２側では、同図（Ｂ）、（Ｃ）で示した態様に比べ、中心線ＣＬにより近い位置まで、第１スコア線４３０が延びている。
【００７０】
ここで、同図（Ｃ）に示す例では、直線状の部分の先端部（一端部４３１側における第１スコア線４３０の終端）を超えてパネル４００が破断するおそれがあるが、同図（Ｄ）に示す例では、直線状の部分の先端部がカールしており、先端部を超えてのパネル４００の破断が生じにくくなる。また、同図（Ｄ）に示す構成例では、直線状の部分の先端部が領域ＲＡに近づくようにカールしており、これにより、領域ＲＡから離れる方向にカールしている場合に比べ、一端部４３１の終端により近い箇所までパネル４００の破断が生じやすくなる。
【００７１】
さらに、上記では説明を省略したが、本実施形態では、図１に示すように、第１スコア線４３０の一端部４３１のうちのカールしている部分（曲率が付与された部分）、および、第１スコア線４３０の他端部４３２のうちのカールしている部分（曲率が付与された部分）が、タブ５００の背後に位置している。
付言すると、本実施形態では、タブ５００が取り付けられた側からパネル４００を眺めた場合に、上記カールしている部分がタブ５００の背後に位置している。この場合、カールしている部分がタブ５００により隠れるようになる。そして、この場合、外観がよりシンプルな形となり、外観（美感）が向上する。
【符号の説明】
【００７２】
１００…飲料缶、２００…容器本体（缶胴）、３００…缶蓋、４００…パネル、４３０…第１スコア線、４３１…一端部、４３２…他端部、４５０…第２スコア線、５００…タブ
【図１】
2015000734.tif 000003
【図２】
2015000734.tif 000004
【図３】
2015000734.tif 000005
【図４】
2015000734.tif 000006
【図５】
2015000734.tif 000007
【図６】
2015000734.tif 000008
【図７】
2015000734.tif 000009
【図８】
2015000734.tif 000010
【図９】
2015000734.tif 000011